(57)【要約】【課題】夜間の側面からの視認性、装飾性の向上のために、二輪車や乗用車、トラックなどの車輪（ホイール・スポーク）へ反射板や光源を取り付ける方法が用いられているが、反射板だと側面からの光がないと光らず、また、普通の点光源だと、複雑な形状で発光させようとすると光源の数を増やす必要があり、非常に高価になってしまう問題がある。【解決手段】タイヤ上に任意の文字や画像を表示し、その文字や画像を照射する光源を設け、タイヤの回転に同期させて、その文字や画像が光源の照射位置を通過するタイミングで一瞬だけ光源を発光させれば、タイヤ上の任意の位置に文字や静止画、あるいは動画を表示させることができるので側面の装飾性が格段に向上し、反射板のように側面から光が当たらなくても、そのマークを視認することが可能となる。また、自家発電による発光も容易である。【選択図】図１
2007276756.tif 000002
【特許請求の範囲】
【請求項１】
タイヤと、タイヤ上にマーキングされた画像・文字等の表示と、タイヤ上の表示を照らす光源からなり、その光源が夜間タイヤの回転に同期して点滅し、光源の照射位置をタイヤ上の表示が通過するタイミングで光源が瞬間的に照射することにより、タイヤが回転中に、ある一定位置で、そのタイヤ上に画像・文字等の表示が浮かび上がって見えるタイヤ用ストロボ画像・文字表示器。
【請求項２】
請求項１のタイヤ用ストロボ画像・文字表示器において、タイヤ上の画像・文字等の表示が１種類のものからなり、夜間走行中タイヤ上の一定位置に静止画、あるいは静止文字が浮かび上がって見えるタイヤ用ストロボ画像・文字表示器。
【請求項３】
請求項１のタイヤ用ストロボ画像・文字表示器において、タイヤ上に、言葉を変えたいくつかの文字、または形状を少しづつ変えたいくつかの画像を表示し、夜間タイヤの回転に同期して、それぞれの表示が光源が照射する位置を通過するタイミングで光源が瞬間的に照射することにより、タイヤ上に異なる文字が順次現れる、もしくは、タイヤ上に、画像が動画のように現れることを特徴としたタイヤ用ストロボ画像・文字表示器。
【請求項４】
請求項１のタイヤ用ストロボ画像・文字表示器において、タイヤ上の表示を照射する光源の電源を、自動車、トラック、自動二輪車、自転車等の自家発電によって得ることができることを特徴としたタイヤ用ストロボ画像・文字表示器。
【請求項５】
請求項１のタイヤ用ストロボ画像・文字表示器において、タイヤ上の表示を照射する光源の電源が、昼間は自動的に消灯することを特徴とするタイヤ用ストロボ画像・文字表示器。
【請求項６】
請求項１のタイヤ用ストロボ画像・文字表示器において、タイヤ上の表示が、タイヤに直接印刷されていることを特徴とするタイヤ用ストロボ画像・文字表示器。
【請求項７】
請求項１のタイヤ用ストロボ画像・文字表示器において、タイヤ上の表示が、粘着剤が塗布されたワッペン上に描かれてシール状にタイヤに貼付されていることを特徴とするタイヤ用ストロボ画像・文字表示器。
【請求項８】
請求項１のタイヤ用ストロボ画像・文字表示器において、乗用車やトラックなどの自動車用のタイヤに文字・画像等が表示されていることを特徴とするタイヤ用ストロボ画像・文字表示器。
【請求項９】
請求項１のタイヤ用ストロボ画像・文字表示器において、自動二輪車または、自転車用のタイヤに文字・画像等が表示されていることを特徴とするタイヤ用ストロボ画像・文字表示器。
【請求項１０】
請求項１のタイヤ用ストロボ画像・文字表示器において、光源として、ストロボ、または、発光ダイオード、またはレーザーダイオードを使用したことをを特徴とするタイヤ用ストロボ画像・文字表示器。
【発明の詳細な説明】
【技術分野】
【０００１】本発明は、特に夜間用の、二輪車や乗用車、トラックなどの車輪（ホイール・スポーク）、タイヤへのアクセサリーに関する。
【背景技術】
【０００２】特に夜間、安全のための視認性向上や、装飾性向上を目的として、二輪車や乗用車、トラックなどの車輪（ホイール・スポーク）へ光源や反射板を取り付ける技術が開発されている。【０００３】これらの技術によって、前方や後方だけでなく、側面からの視認性が向上し、自転車などの場合は、安全性の向上が図られると共に、特に乗用車やトラックなどの場合は、夜間の装飾性を向上させる効果が意図されている。
【発明の開示】
【発明が解決しようとする課題】
【０００４】このように、側面からの視認性、装飾性の向上のために、二輪車や乗用車、トラックなどの車輪へ反射板を取り付ける場合には、あくまでも、側面から光があたらないと、反射板を視認できないという問題がある。【０００５】また、二輪車や乗用車、トラックなどの車輪へ光源を取り付ける場合には、それが、白熱電球であれ、発光ダイオードであれ、その点光源がもつ、基本的に丸い光でしか、視認できないという問題があり、特に装飾性の面で劣っている。【０００６】光源の数を増やして、何らかの模様を形成するということも考えられるが、その場合には、光源の数だけ白熱電球や発光ダイオードを準備しなければならず、非常に高価になってしまうという問題がある。
【課題を解決するための手段】
【０００７】このような課題を克服するため、本発明は、側面からの視認性、装飾性向上のために、タイヤと、タイヤ上にマーキングされた画像・文字等の表示と、タイヤ上の表示を照らす光源からなっている。【０００８】タイヤへの表示画像・文字等を表示し、それを外部から照らせば、自由自在な模様をタイヤ上に表示することができ、またその光源も１個だけで済むので、非常に安価に装飾性を向上させることが可能になる。【０００９】また、その光源をタイヤの回転に同期させて点滅させ、光源の照射位置をタイヤ上の表示が通過するタイミングで光源を瞬間的に照射させることにより、タイヤが回転中であっても、タイヤ上に表示した文字・画像等を外部から確認することができる。【００１０】さらには、タイヤ上に、言葉を変えたいくつかの文字、または形状を少しづつ変えたいくつかの画像を表示し、夜間タイヤの回転に同期して、それぞれの表示が光源が照射する位置を通過するタイミングで光源が瞬間的に照射することにより、タイヤ上に異なる文字が順次現れる、もしくは、タイヤ上に、画像を動画のように表現することが可能になり、非常に装飾性に優れた表示が可能となる。【００１１】また、外部に光源を持って照射するので、反射板のように、側面から光が当たらなくても、表示を視認することが可能である。
【発明の効果】
【００１２】このように、タイヤ上に画像・文字等の表示を行い、タイヤを照らす光源の照射位置をその表示が通過するタイミングで、光源をタイヤの回転に同期させて瞬間的に点滅照射することにより、タイヤが回転中に、ある一定位置で、そのタイヤ上に画像・文字等の表示を浮かび上がらせるように表現することが可能となり、また、それを動画のように表現することも可能であり、装飾性が格段に向上し、また、反射板のように側面から光が当たらなくても、夜間に、そのマークを視認することが可能となる。
【発明を実施するための最良の形態】
【００１３】本発明の実施形態の構造図例１を図１に示す。図１からわかるように、本発明は、タイヤ１とタイヤ１上に表示された文字または画像の表示２と、表示２の位置を照射する光源３からなっている。図１の実施例では乗用車のタイヤを例として挙げているが、タイヤは二輪車用でも、またトラック用であってもよい。【００１４】表示２の位置を照射する光源３は、タイヤ１の回転に同期して点滅し、タイヤ１の回転に従い表示２がちょうど光源３が照射する位置を通過するタイミングで、光源３は瞬間的に一瞬だけ照射を行う。光源３が照射する時間は、タイヤの回転速度に対して充分に短く、一瞬タイヤが止まって見える程度短くなければならない。このような光源としては、キセノンなどのガスを封入した放電管に高圧電流を通じてガスをイオン化させ、強い閃光を得るカメラ用のストロボが適しており、それ以外でも、瞬間的な照射ができれば、発光ダイオードやレーザーダイドード等を使用してもよい。【００１５】本発明の実施形態の構造図例２を図２に示す。図２からわかるように、タイヤ１上に例えば４つの画像表示２を表示させておき、タイヤ１の回転に従い、４つの表示２の、それぞれの画像がちょうど光源３が照射する位置を通過するタイミングで、光源３が一瞬だけ発光すれば、結果としてタイヤ上には動画が表現されることになる。図２の例であれば、人が右手を上下に振っている動画が得られることになる。【００１６】また、図３のように、タイヤ１上に例えば４つの文字表示２を表示させておき、図２の例と同様に、４つの表示２の、それぞれの文字がちょうど光源３が照射する位置を通過するタイミングで、光源３が一瞬だけ発光すれば、図３の例では、結果としてタイヤ上に「安」「全」「運」「転」という文字が順次繰り返して現れることになる。【００１７】光源３用の電源として、自動車や自動二輪車の場合は、エンジンの起動に同期した自家発電源を用いれば、エンジン起動時にのみ、また自転車の場合は、車輪の回転に同期した自家発電源を用いれば、自転車運転時にのみ、光源３は光を発し、特にバッテリーを搭載する必要はなくなる。これは、光源３を回転体ではなく、固定物に設置できるので、自家発電源の使用が非常に容易になる結果でもある。【００１８】また、昼間光源３は発光する必要はないため、受光により反応するフォトダイオードやフォトトランジスタを搭載した回路により、昼間は発光しないような制御回路を設けておけば、節電にもつながることになる。自転車の場合は、昼間は自家発電源を停止しておくだけでよい。【００１９】また、蛍光塗料マーク２は、タイヤに直接印刷するような方法を用いてもよいが、裏面に粘着材が塗布されたワッペン上に印刷しておき、そのワッペンをタイヤにシール状に貼付するような方法を用いてもよい。
【図面の簡単な説明】
【図１】実施形態例１の構造図
【図２】実施形態例２の構造図
【図３】実施形態例３の構造図
【符号の説明】
１・・・タイヤ
２・・・（画像・文字等の）表示
３・・・光源
【図１】
2007276756.tif 000003
【図２】
2007276756.tif 000004
【図３】
2007276756.tif 000005